【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
ユーザインターフェースを有するコンピューティングデバイスを介して、プロセス制御プラントのプロセス制御システム中のプロセス変数の傾向を識別する図形傾向記号を生成及び表示する方法であって、前記方法が、
前記プロセス制御システム中の要素からプロセス変数値の更新を受信することであって、前記要素が前記コンピューティングデバイスに通信可能に連結される、受信することと、
少なくとも前記プロセス変数値の前記更新を使用して、１つ以上のプロセス変数属性を示すプロセス変数データを生成することであって、前記プロセス変数データが、１つ以上のプロセス変数傾向属性を示すプロセス変数傾向データを含む、生成することと、
前記プロセス変数データを使用して、１つ以上の図形要素を生成することであって、各図形要素が前記プロセス変数属性のうちの対応するものに関連付けられる、生成することと、
前記プロセス変数傾向データを使用して、１つ以上の図形傾向要素を生成することであって、各図形傾向要素が前記プロセス変数傾向属性のうちの対応するものに関連付けられる、生成することと、
前記ユーザインターフェース上に前記図形傾向記号を表示することであって、前記図形傾向記号が少なくとも１つの生成された図形傾向要素、及び少なくとも１つの生成された図形要素を含み、前記少なくとも１つの生成された図形傾向要素及び前記少なくとも１つの生成された図形要素が相互を閉塞しない、表示することと、を含む、方法。
【請求項２】
前記プロセス変数に関連付けられた目標値を受信することをさらに含む、請求項１に記載の前記方法。
【請求項３】
前記図形傾向記号が、別の傾向属性に対応する別の図形傾向要素を含む、請求項１または２に記載の前記方法。
【請求項４】
前記示されたプロセス変数傾向属性のうちの１つについて、前記プロセス変数傾向属性に関連付けられた複数の傾向カテゴリを決定することをさらに含み、
前記プロセス変数傾向データを使用して、前記プロセス変数傾向属性の傾向値を決定することと、
前記示されたプロセス変数傾向属性のうちの前記１つについて、前記決定された傾向値に関連付けられた前記複数の傾向カテゴリから、傾向カテゴリを決定することと、をさらに含み、
前記１つ以上の図形傾向要素を生成することが、前記決定された傾向カテゴリに関連付けられた図形傾向要素を生成することを含む、請求項１〜３のいずれか１項に記載の前記方法。
【請求項５】
前記プロセス変数データを使用して、プロセス変数値属性についての現在値を決定することをさらに含み、
前記プロセス変数値属性が、前記プロセス変数データを使用して生成されるプロセス変数値データによって示され、
前記１つ以上の図形要素を生成することが、前記プロセス変数値属性についての前記決定された現在値に関連付けられた図形値要素を生成することを含む、請求項１〜４のいずれか１項に記載の前記方法。
【請求項６】
前記少なくとも１つの生成された図形要素を表示することが、前記生成された図形値要素を表示することを含む、請求項５に記載の前記方法。
【請求項７】
プロセス変数データを生成することが、過去のプロセス変数データを使用して前記プロセス変数傾向データを生成することを含み、
前記過去のプロセス変数データを使用することが、前記プロセス変数値の少なくとも１つの以前の更新を使用することを含む、請求項１〜６のいずれか１項に記載の前記方法。
【請求項８】
前記プロセス変数傾向属性が、前記プロセス変数の変化率を示す傾向属性の変化率、前記プロセス変数の変化方向を示す傾向属性の変化方向、または前記プロセス変数の変化の望ましさを示す傾向属性の変化の望ましさのうちの１個以上を含む、請求項１〜７のいずれか１項に記載の前記方法。
【請求項９】
前記傾向属性の変化率が、複数のカテゴリの傾向属性の変化率を含み、前記複数のカテゴリの傾向属性の変化率のそれぞれのものが前記プロセス変数の固有の変化率を示すとともに、所定の傾向に対応する生成された図形傾向要素が、複数のカテゴリの傾向属性の変化率の１つに対応する変化率図形傾向要素を含む、請求項８に記載の前記方法。
【請求項１０】
前記複数の変化率傾向カテゴリのそれぞれのものが、前記プロセス変数の変化率の範囲を示す、請求項９に記載の前記方法。
【請求項１１】
前記変化率図形傾向要素が、前記図形傾向記号から突出するマークの数を介して図形的に描写されるとともに、マークの前記数が前記変化率に比例する、請求項９または１０に記載の前記方法。
【請求項１２】
前記変化率図形傾向要素のサイズは、変化率に比例する請求項９または１０に記載の前記方法。
【請求項１３】
前記過去のプロセス変数データを使用して、前記プロセス変数についての変化率値を生成することと、
前記複数の変化率傾向カテゴリから、前記生成された変化率値と最も密接に関連する変化率傾向カテゴリを決定することと、
前記決定された変化率傾向カテゴリに対応する変化率図形傾向要素を生成することと、
前記ユーザインターフェースを介して、前記生成された変化率図形傾向要素を、前記図形傾向記号と併せて表示することと、をさらに含む、請求項９〜１２のいずれか１項に記載の前記方法。
【請求項１４】
前記変化方向傾向属性に関連付けられた複数の変化方向傾向カテゴリを決定することをさらに含み、前記複数の変化方向傾向カテゴリのそれぞれが前記プロセス変数の変化方向を示すとともに、
決定された傾向カテゴリに対応する生成された図形傾向要素は、複数の変化傾向カテゴリのうちの１つに対応する変化方向図形傾向要素を含む、請求項８〜１３のいずれか１項に記載の前記方法。
【請求項１５】
前記複数の変化方向傾向カテゴリが、（ｉ）前記目標値から離れる方向変化、（ｉｉ）前記目標値に向かう方向変化、または（ｉｉｉ）前記目標値に対する方向変化無し、のうちの少なくとも１つを含む、請求項１５に記載の前記方法。
【請求項１６】
前記変化方向図形傾向要素が、前記図形傾向記号に付着する三角形として図形的に描写される、請求項１４または１５に記載の前記方法。
【請求項１７】
目標値変化方向傾向カテゴリから離れる前記方向変化に関連付けられた前記変化方向図形傾向要素が、前記目標値から離れる方向を示す三角形として図形的に描写されるとともに、
目標値変化方向傾向カテゴリに向かう前記方向変化に関連付けられた前記変化方向図形傾向要素が、前記目標値に向かう方向を示す三角形として図形的に描写される、
請求項１５または１６に記載の前記方法。
【請求項１８】
目標値変化方向傾向カテゴリに対して前記方向変化無しに関連付けられた前記変化方向図形傾向要素が、前記目標値に向かわず、かつそれから離れない方向を示す三角形として図形的に描写される、請求項１４〜１７のいずれか１項に記載の前記方法。
【請求項１９】
前記過去のプロセス変数データを使用して、前記プロセス変数についての変化方向値を生成することと、
前記複数の変化方向傾向カテゴリから、前記生成された変化方向値に関連付けられた変化方向傾向カテゴリを決定することと、
前記決定された変化方向傾向カテゴリに対応する変化方向図形傾向要素を生成することと、
前記ユーザインターフェースを介して、前記生成された変化方向図形傾向要素を、前記図形傾向記号と併せて表示することと、をさらに含む、請求項１４〜１８に記載の前記方法。
【請求項２０】
前記プロセス変数値属性が、
前記プロセス変数の規模を示すプロセス変数規模属性、
前記プロセス変数の前記目標値に対する方向を示すプロセス変数方向属性、または
前記プロセス変数の前記目標値に対する位置を示すプロセス変数位置属性
の１つ以上を含む、請求項５〜１９のいずれか１項に記載の前記方法。
【請求項２１】
前記プロセス変数の前記現在値及び前記受信された目標値を使用して、前記プロセス変数の規模値を決定することであって、前記プロセス変数の前記規模値が前記プロセス変数の前記現在値と前記目標値との間の差異であることと、をさらに含む、請求項２０に記載の前記方法。
【請求項２２】
前記１つ以上の図形値要素を生成することが、前記プロセス変数値の前記規模に対応する規模図形値要素を生成することを含み、
規模図形値要素のサイズが、前記プロセス変数の前記規模値に比例すること、をさらに含む、請求項２１に記載の前記方法。
【請求項２３】
前記規模図形値要素が、前記目標値の描写から延びる規模バーの描写を含み、前記規模バーの長さが前記プロセス変数の前記規模値に比例する、請求項２２に記載の前記方法。
【請求項２４】
前記プロセス変数の前記決定された規模及び前記受信された目標値を使用して、前記目標値に対する前記プロセス変数値の方向を生成することをさらに含む、請求項２０〜２３のいずれか１項に記載の前記方法。
【請求項２５】
前記プロセス変数位置属性に関連付けられた複数のプロセス変数位置カテゴリを決定することをさらに含み、前記複数のプロセス変数位置カテゴリのそれぞれが前記目標値に対するプロセス変数位置を示す、請求項２０〜２４に記載の前記方法。
【請求項２６】
前記複数のプロセス変数位置カテゴリが、（ｉ）前記プロセス変数値が前記目標値よりも大きい位置、（ｉｉ）前記プロセス変数値が前記目標値よりも小さい位置、または（ｉｉｉ）前記プロセス変数値が前記目標値と実質的に類似する位置、のうちの少なくとも１つを含む、請求項２５に記載の前記方法。
【請求項２７】
前記決定された傾向カテゴリに対応する前記生成された図形値要素が、前記複数のプロセス変数位置カテゴリのうちの１つに対応する位置図形値要素を含む、請求項２５または２６に記載の前記方法。
【請求項２８】
前記変化の望ましさの傾向属性に関連付けられた複数の傾向の望ましさのカテゴリを決定することをさらに含み、変化傾向カテゴリの望ましさのそれぞれが前記プロセス変数の変化の望ましさを示すとともに、
決定された傾向カテゴリに対応する生成された図形傾向要素が、複数の変化の望ましさのうちの１つに対応する変化の望ましさの図形傾向要素を含む、請求項８〜２７に記載の前記方法。
【請求項２９】
前記複数の傾向の望ましさのカテゴリが、（ｉ）改善しているプロセス変数ステーション状況、（ｉｉ）悪化しているプロセス変数ステーション状況、または（ｉｉｉ）維持しているプロセス変数ステーション状況、のうちの少なくとも１つを含むこと、をさらに含む、請求項２８に記載の前記方法。
【請求項３０】
前記悪化しているプロセス変数状態状況の変化の望ましさ傾向カテゴリに関連付けられた前記変化の望ましさの図形傾向要素が、前記図形傾向記号の少なくとも一部分の線を広げることとして図形的に描写される、請求項２９に記載の前記方法。
【請求項３１】
前記複数の変化の望ましさの傾向カテゴリから、前記生成された変化の望ましさの値に関連付けられた変化の望ましさ傾向カテゴリを決定することと、
前記決定された変化の望ましさ傾向カテゴリに対応する変化の望ましさの図形傾向要素を生成することと、
前記ユーザインターフェースを介して、前記生成された変化の望ましさの図形傾向要素を、前記図形傾向記号と併せて表示することと、をさらに含む、請求項２８〜３０のいずれか１項に記載の前記方法。
【請求項３２】
ユーザインターフェースを有するコンピューティングデバイスを介して、プロセス制御プラントのプロセス制御システム内のプロセス変数の傾向を識別する図形傾向記号を生成及び表示する方法であって、前記方法が、
前記プロセス変数の変化率を示す変化率傾向属性を表す図形要素、
前記プロセス変数の変化方向を示す変化方向属性を表す図形要素、
前記プロセス変数の規模を示すプロセス変数規模属性を表す図形要素、
前記プロセス変数の位置を示すプロセス変数位置属性を表す図形要素、または
前記プロセス変数についての変化の望ましさを示す変化の望ましさ属性を表す図形要素の１つ以上を生成することと、
生成された図形要素を、前記ユーザインターフェース上に一緒に表示することと、を含む、方法。